(57)【特許請求の範囲】
【請求項１】
遊技領域の略中央部に図柄表示部が配設され、前記図柄表示部の下方に始動入賞具が配設され、前記始動入賞具の直下に入賞装置が配設され、前記入賞装置の左右両側に普通入賞口が配設された遊技機用の遊技盤の前面側を透視可能な状態で覆うとともに、同じく遊技盤の前面側を透視可能な状態で覆うフラットなガラス板の前面側に配置されるプラスチック製の保護カバー体であって、
遊技者側に膨らんだ曲面形状の膨出部を備えるとともに、前記膨出部の膨出量はカバー中央部が最も大きくカバー上下方向及びカバー左右両側にいくに従って小さくなるように設定され、前記膨出部には、遊技者側に凸である山状屈曲部と、遊技者側に凹である谷状屈曲部とが、互いに隣接した状態で配置され、前記山状屈曲部及び前記谷状屈曲部が、前面視で左右対称となるようにかつカバー縦方向に延びる円弧状となるようにカバー左右両側にそれぞれ延設され、前記膨出部は遊技盤側が凹んだ形状を有し、前記膨出部の少なくとも遊技者側面に反射防止処理層を有する一方、前記膨出部において前記遊技盤の前記図柄表示部に対応した箇所は、略フラット状に形成されるとともに前記反射防止処理層を有しないことを特徴とする遊技盤の保護カバー体。
【請求項２】
前記反射防止処理層は微小な凹凸の層である請求項１に記載の遊技盤の保護カバー体。
【請求項３】
請求項１または２に記載の保護カバー体を備えた遊技機。
【発明の詳細な説明】
【技術分野】
【０００１】
本発明は、パチンコ機等に代表される遊技機の遊技盤を覆う保護カバー体、及びそのような保護カバー体を備えた遊技機に関するものである。
【背景技術】
【０００２】
パチンコ機やアレンジボール機に代表されるこの種の遊技機では、外枠の開口前面に、遊技領域を構成した遊技盤、前枠、上下の球受け皿、打球発射装置、裏側の機構セット盤等の多くの遊技用構成部材を設置した中枠が開閉及び着脱可能に組付けられ、１台単位として構成されている。このような遊技機における前枠は金属製かつ略正方形状のガラス枠（支持枠ともいう。）を備えており、このガラス枠内には内外２枚のガラス板が保護カバー体として挿入されている。その結果、遊技球の移動範囲が遊技盤と内側ガラス板との間の空間に制限されて遊技球の外方への飛び出し防止が図られるとともに、遊技者による針金や薄板の差し込みといった不正行為の防止が図られている。また、ガラス板以外の保護カバー体として、プラスチック製の透明板を用いることも従来提案されている。
【０００３】
ところで、通常この種の保護カバー体は透視面が略フラット状に形成されているため、全体として立体感に欠け、デザイン的に物足りなさを感じるという意見が多かった。そればかりでなくこのような保護カバー体にあっては、異物差し込みによる不正行為についてはある程度防止可能である反面、遊技盤との間隔が狭いことから、強力な磁石等を用いた不正行為については有効に防止できないという欠点があった。
【０００４】
そこで従来においては、遊技者側に膨らんだ曲面形状の膨出部を保護カバー体に設けることにより、全体として立体感を出しかつ遊技者から遊技盤を遠ざける、という技術的思想が提案されている（例えば特許文献１を参照）。この構成によると、デザイン性の向上が達成されうるばかりでなく、磁石による遊技球への不正行為の防止が達成されうるものと考えられている。
【先行技術文献】
【特許文献】
【０００５】
【特許文献１】特開２００１−２５９１９４号公報
【発明の概要】
【発明が解決しようとする課題】
【０００６】
ところで、遊技機が設置されるパチンコホールには通常色々な位置に数多くの照明装置が設けられており、しかもその照明環境はホールによって様々に異なっているのが現状である。従って、このような環境のもとで遊技機を使用した場合には、遊技盤に対して様々な角度から進入してくる外光を保護カバー体が反射する結果、保護カバー体の遊技者側面に外光が映り込み、遊技盤面が非常に見難くなってしまう。このため、遊技者が遊技自体に集中しにくくなったり、目が疲れて長時間の遊技が困難になったりするという不都合が生じる。なお、このような周囲の外光の映り込み現象は、略フラット状の保護カバー体ではあまり大きな問題とはならず、膨出部を備える曲面的な保護カバー体において非常に顕著になる。
また、特開２００１−２５９１９４号公報にて具体的に開示されている保護カバー体（当該公報では閉窓体）は、膨出部が遊技者側に凸の略ドーム状であって単純な曲面形状を呈しているにすぎない。従って、これよりもいっそうデザイン性に優れた保護カバー体の登場が望まれるところである。また、前記公報の保護カバー体では、外光の映り込み現象の対策は何ら講じられておらず、遊技盤面が非常に見にくいという欠点がある。
【０００７】
本発明は上記の課題に鑑みてなされたものであり、その目的は、デザイン性に優れるとともに、磁石等を利用した不正行為を防止することができ、しかも遊技盤面を見やすくすることができる遊技盤の保護カバー体、及び遊技機を提供することにある。
【課題を解決するための手段】
【０００８】
上記の課題を解決するために、請求項１に記載の発明は、遊技領域の略中央部に図柄表示部が配設され、前記図柄表示部の下方に始動入賞具が配設され、前記始動入賞具の直下に入賞装置が配設され、前記入賞装置の左右両側に普通入賞口が配設された遊技機用の遊技盤の前面側を透視可能な状態で覆うとともに、同じく遊技盤の前面側を透視可能な状態で覆うフラットなガラス板の前面側に配置されるプラスチック製の保護カバー体であって、遊技者側に膨らんだ曲面形状の膨出部を備えるとともに、前記膨出部の膨出量はカバー中央部が最も大きくカバー上下方向及びカバー左右両側にいくに従って小さくなるように設定され、前記膨出部には、遊技者側に凸である山状屈曲部と、遊技者側に凹である谷状屈曲部とが、互いに隣接した状態で配置され、前記山状屈曲部及び前記谷状屈曲部が、前面視で左右対称となるようにかつカバー縦方向に延びる円弧状となるようにカバー左右両側にそれぞれ延設され、前記膨出部は遊技盤側が凹んだ形状を有し、前記膨出部の少なくとも遊技者側面に反射防止処理層（いわゆるノングレア処理（ｎｏｎ−ｇｌａｒｅ  ｔｒｅａｔｍｅｎｔ）を施した層）を有する一方、前記膨出部において前記遊技盤の前記図柄表示部に対応した箇所は、略フラット状に形成されるとともに前記反射防止処理層を有しないことを特徴とする遊技盤の保護カバー体をその要旨とする。
【０００９】
従って、請求項１に記載の発明によると、遊技者側に膨らんだ曲面形状の膨出部を備える保護カバー体であれば、略フラット状である従来の保護カバー体に比べて立体感を出すことができ、デザイン性にも優れた遊技機を実現することができる。また、上記形状の膨出部を持つ保護カバー体の場合、膨出部を持たない従来の保護カバー体に比べて保護カバー体から遊技盤までの距離が大きくなるため、実質的に遊技者から遊技盤を遠ざけることができる。従って、たとえ強力な磁石を膨出部の遊技者側面に近づけたとしても、その磁力の影響が遊技盤面にまで及ばず、遊技球に対する不正行為が成立しなくなる。さらに、膨出部の少なくとも遊技者側面に反射防止処理層を有しているため、様々な角度から進入してくる外光の反射が防止され、膨出部の遊技者側面に外光が映り込みにくくなる。
【００１０】
また、プラスチックは元来加工性に優れた材料であることから、たとえ複雑な形状の保護カバー体であったとしても、比較的簡単にかつ低コストで製造することが可能である。さらに、プラスチック製の保護カバー体はガラス製のものに比べて軽量であるばかりでなく、非常に割れにくくて安全であるという利点がある。
【００１１】
本発明において前記膨出部にはさらに屈曲部が形成されている。ここで「屈曲部」とは、稜線を含んで構成されるため部分的に曲率が大きい箇所がある曲面からなる部位を意味し、稜線を含まずに構成されるとともに曲率のほぼ等しい単純な曲面部位のみからなる湾曲部とは区別するものとする。
【００１２】
従って、この構成によると、屈曲部を何ら備えない単純な曲面形状の膨出部を備える保護カバー体に比べて形状が複雑になるので、立体感が増し、いっそうデザイン性が向上する。よって、今までにない優れた美観を保護カバー体に付与することが可能となる。さらに、遊技機がパチンコ機のような弾球遊技機である場合には、膨出部や屈曲部の存在によって、釘が本来の状態とは異なった見え方をするので、ある意味で遊技者にとって攻略し甲斐のある遊技機を提供することができる。
【００１３】
本発明では、遊技者側に凸である山状屈曲部と、遊技者側に凹である谷状屈曲部とを備え、前記両屈曲部が互いに隣接した状態で延設されていることをその要旨とする。
【００１４】
従って、この構成によると、保護カバー体の形状がさらに複雑になるので、よりいっそうデザイン性が向上する。よって、今までになく斬新で優れた美観を保護カバー体に付与することが可能となる。
【００１５】
上記の山状屈曲部及び谷状屈曲部は、例えば、遊技盤の遊技領域において図柄表示部がある箇所（一般的には略中央部）に対応して設けられてもよいし、あるいは図柄表示部がある箇所以外の箇所に対応して設けられてもよい。言い換えると、上記の山状屈曲部及び谷状屈曲部は、保護カバー体を装着した際に、膨出部において前記図柄表示部の前方に位置する部位に設けられてもよいし、あるいはその部位を避けて設けられてもよい。
【００１６】
特に後者の構成を採用した場合、遊技に直接関係のある部分では、背後にある遊技盤の構成部品（例えば図柄表示部）や模様が本来の姿に近い見え方をする。その一方で、遊技に直接関係のない部分（例えばコーナー飾り）では、背後にある遊技盤の構成部品や模様が本来の姿とは相当異なった見え方をし、屈曲角度が大きくなれば大抵はそこが見にくくなる。従って、遊技に直接関係のない部分が目に付きにくくなる反面、遊技に直接関係のある部分が目に付きやすくなって、遊技者は遊技にいっそう集中することができるようになる。
【００１７】
遊技盤の中央部に図柄表示部がある場合において、上記の山状屈曲部及び谷状屈曲部は、図柄表示部の側方に設けられるとともに、その長さが少なくとも図柄表示部の上端位置から下端位置までの長さ分に相当するように設定されることがよい。かかる構成であると、遊技者が遊技によりいっそう集中することができるようになるからである。
【００１８】
上記の山状屈曲部及び谷状屈曲部は、遊技盤の左右両側部に対応して設けられていることがよい。言い換えると、上記の山状屈曲部及び谷状屈曲部は、保護カバー体を装着した際に、膨出部において左右両側の電飾装置の前方に位置する部位またはそこよりも中央部寄りの部位に設けられてもよい。なお、上記の山状屈曲部及び谷状屈曲部は、遊技盤の左側部または右側部のいずれか一方に対応して設けられていてもよい。
【００１９】
いずれにしてもこのような構成によると、上記の山状屈曲部及び谷状屈曲部を通過する際に電飾装置の発した光の進行方向が変化することから、電飾装置が本来の発光態様とは相当異なった見え方をするようになる。このため、単純な発光態様の電飾装置を用いた場合であったとしても華やかにかつ綺麗に見えうる、というさらなる装飾的効果を得ることが可能である。つまり、動的デザイン性が向上する結果、遊技機の美観向上が達成される。また、単純で安価な電飾装置を使用した場合でも最大限の装飾的効果が得られることから、遊技機自体の低コスト化を達成することも可能となる。
【００２０】
上記の山状屈曲部及び谷状屈曲部は、正面視にて左右非対称な形状となるように形成されてもよく、あるいは正面視にて左右略対称な形状となるように形成されてもよい。特に後者の構成であると、左右非対称な形状を採用した場合に比べて、安定感・安心感を与えるデザインとなるため、山状屈曲部及び谷状屈曲部に意識が向いてしまうこともなく、遊技者が遊技にいっそう集中することができるようになる。
【００２１】
膨出部の前面視での形状は略円形状であることがよく、この場合において上記の山状屈曲部及び谷状屈曲部は、膨出部の外形線に沿った形状、例えば円弧状に形成されていることがよい。この構成についても同様に、安定感・安心感を与えるデザインとなるため、山状屈曲部及び谷状屈曲部に意識が向いてしまうこともなく、遊技者が遊技にいっそう集中することができるようになる。また、発射された遊技球が遊技領域内に到るまでの軌跡を想像させる躍動感のあるデザインとなるので、その意味においてもデザイン性が向上する。
【００２２】
請求項２に記載の発明は、請求項１において、前記反射防止処理層は微小な凹凸の層であることをその要旨とする。
【００２３】
従って、このような構成であると、微小な凹凸によって外光が散乱されることにより外光の反射が防止される結果、膨出部の遊技者側面に外光が映り込みにくくなる。また、微小な凹凸が遊技者側面に形成されていると、その面の摩擦係数が増大する。よって、遊技者が遊技球を誘導すべく遊技者側面に磁石を接触させて滑らそうとしても、磁石の滑りが悪くて不正行為を行いにくくなる、というさらなる作用効果を奏する。
【００２４】
この場合、前記微小な凹凸は、前記膨出部表面を部分的に除去したり、前記膨出部表面自体を凹凸に加工したりすること等により、膨出部自体に直接形成されることがよい。
【００２５】
従ってこれによれば、微小な凹凸が膨出部自体に直接形成されていない場合とは異なり、微小な凹凸を有する他部材の貼り付け等の作業を伴わないため、膨出部から他部材が不用意に脱落する等の心配がない。よって、好適な状態の微小な凹凸が長期にわたって維持される結果、反射防止効果を半永久的に得ることができる。また、保護カバー体を構成する部品の点数も増えないので、保護カバー体自身の構成の複雑化も回避される。
【００２６】
前記微小な凹凸は、例えば、前記膨出部表面に対する砥粒噴射加工によって形成されてもよい。
【００２７】
従ってこれによると、噴射した砥粒を保護カバー体にぶつけることによって、膨出部表面が部分的に除去または凹凸に加工される結果、膨出部自体に微小な凹凸が直接形成される。なお、このような加工法によれば、反射防止に適した微小な凹凸を、プラスチック材料表面に対して比較的容易にかつ比較的安価に形成することができる。また、微小な凹凸の大きさの調節を行うことにより、光透過率を所望の値に容易に設定することができる。
【００２８】
この場合、砥粒噴射加工は乾式にて行われることがよい。乾式であれば、湿式にて行われる場合とは異なり液体を必要としないため、簡単な工程で済み、環境面でも有利なものとなる。
【００２９】
前記微小な凹凸は、前記膨出部表面に対して微小な粉末をコーティング処理することによって形成されてもよい。
【００３０】
従ってこれによると、コーティング処理を経て膨出部表面に微小な粉末が付着することによって、そこに反射防止に適した微小な凹凸が形成される。なお、このような加工法によれば、使用する微小な粉末の大きさ等の調節を行うことにより、光透過率を所望の値に容易に設定することができる。
【００３１】
また、前記反射防止処理層は、前記膨出部の少なくとも遊技者側面に貼り付けられた、微小な凹凸を有するフィルムであってもよい。
【００３２】
従って、この構成によると、微小な凹凸を有するフィルムを貼り付けるだけで容易に保護カバー体に反射防止効果を付与することができる。また、この構成であれば、遊技場の環境（例えば遊技場の照明の光度、設置態様など）に合わせて、それに適した性質のフィルムを選択することができる。なお、遊技者が遊技球を誘導すべく遊技者側面に磁石を接触させて滑らそうとしても、フィルム表面には微小な凹凸が存在している。よって、磁石の滑りが悪くなり不正行為を行いにくくなる、というさらなる作用効果を奏する。
【００３３】
この場合、前記フィルムは剥離可能な状態で貼り付けられていてもよい。その理由は、パチンコホール等の遊技場の照明環境からして反射防止対策が不要であれば、フィルムを剥離した状態で保護カバー体を用いることができるからである。また、一般的に遊技機における保護カバー体の遊技者側面はタバコの煙などに晒されやすい環境に置かれているため、遊技者側面がヤニ等により曇りやすく、保護カバー体の光透過性も低下しやすい状況にある。その点、上記構成によれば、曇った保護カバー体からフィルムを剥離して新しいものに交換することが可能である。従って、保護カバー体全体を取り換えなければならない構造に比べて、維持コストがかからないという利点がある。
【００３４】
本発明において、前記反射防止処理層は、光の干渉を利用して外光を打ち消す干渉層であってもよい。
【００３５】
従ってこの構成によると、干渉層の厚さを所定値に設定することにより、干渉層の表面にて反射される光の位相を、干渉層を通過して保護カバー体の遊技者側面にて反射される光の逆位相にすることができる。そして、この場合には、前記２つの光が互いに打ち消しあって干渉する結果、反射された外光が見立たなくなり、膨出部の遊技者側面に外光が映り込みにくくなる。また、微小な凹凸の形成により光を散乱させて反射防止を図るものではないため、光透過性の低下を殆ど伴うことがなく、反射防止処理が施されていない状態と同程度の優れた遊技盤視認性を維持することができる。
【００３６】
請求項３に記載の発明は、請求項１または２に記載の保護カバー体を備えた遊技機をその要旨とする。
【００３７】
従って、請求項３に記載の発明によれば、上記請求項１または２において述べた作用効果を奏する遊技機を提供することができる。
【発明の効果】
【００３８】
以上詳述したように、請求項１に記載の発明によれば、デザイン性に優れるとともに、磁石等を利用した不正行為を防止することができ、しかも遊技盤面を見やすくすることができる遊技盤の保護カバー体を提供することができる。また、よりいっそうデザイン性が向上する結果、今までになく斬新で優れた美観を保護カバー体に付与することができる。請求項２に記載の発明によれば、容易に保護カバー体に反射防止効果を付与できるばかりでなく、不正行為のより確実な防止を図ることができる。請求項３に記載の発明によれば、デザイン性に優れるとともに、磁石等を利用した不正行為を防止することができ、しかも遊技盤面を見やすくすることができる遊技機を提供することができる。
【図面の簡単な説明】
【００３９】
【図１】本発明の遊技機を具体化した実施形態のパチンコ機（保護カバー体なしの状態）を示す概略正面図。
【図２】同パチンコ機の中枠及び保持枠を示す概略正面図。
【図３】同パチンコ機の前枠の枠本体を示す一部破断概略正面図。
【図４】同パチンコ機の前枠を示す概略背面図。
【図５】図１のａ−ａ線における一部省略側断面図。
【図６】同パチンコ機の中枠に対する前枠の開放状態及び開閉連結支持部等を示す一部省略側断面図。
【図７】同パチンコ機の中枠に対する前枠の開放状態及び開閉連結支持部等を示す一部省略平断面図。
【図８】同パチンコ機の開閉保持機構の概要を示す一部省略平断面図。
【図９】同パチンコ機の支持枠の連結部及び開閉連結支持具を示す分解斜視図。
【図１０】（ａ）は同パチンコ機の保護カバー体を示す正面図、（ｂ）はその底面図。
【図１１】（ａ）は前記保護カバー体を示す側面図、（ｂ）は保護カバー体が取り付けられた前枠を示す側面図。
【図１２】同パチンコ機（保護カバー体ありの状態）を示す概略正面図。
【図１３】別例の保護カバー体を取り付けた状態を示す概略正面図。
【図１４】（ａ）は別例の保護カバー体を示す正面図、（ｂ）はその底面図。
【発明を実施するための形態】
【００４０】
以下、本発明を具体化した一実施形態のパチンコ機を図１〜図１２に基づき詳細に説明する。なお本実施形態において「左」又は「右」とは、パチンコ機の表側（前面側）から見たときの「左」又は「右」を示すものとする。まず本実施形態のパチンコ機の基本的構成を説明する。
図１に概略的に示されるように、このパチンコ機は機体の外郭をなす縦長方形の外枠Ａを備えている。外枠Ａの開口前面側には、各種の遊技用構成部材をセットするための縦長方形の中枠Ｂが、開閉可能かつ着脱可能に組み付けられている。そして、この中枠Ｂの前面側には、遊技盤Ｃの透視保護窓である前枠Ｄと、上の球受け皿Ｅとが、個々の連結支持手段等を利用してともに横開き形態で開閉可能に組み付けられている。その一方で、中枠Ｂの下部には、下の球受け皿Ｆ及び打球発射装置Ｇ等がセットされている。また中枠Ｂの裏側には、各種の球経路及び球処理・払出部等を備えた機構セット盤（図示略）がセットされている。なお、図中Ｈは球貸しシステムに利用されるカードユニットを示している。
【００４１】
本実施形態のパチンコ機の搭載枠とされる中枠Ｂは、全体的に合成樹脂材料を用いて成形されたものである。図２に示すように、基本的に中枠Ｂは、枠体２と遊技盤セット保持用の保持枠４とを前後に連設してなるものであって、いわゆる内外二重枠形態として構成されている。枠体２は外枠Ａの開口前面域に適合する外形サイズに成形されていて、縦長方形の窓枠口１を有している。保持枠４は枠体２の裏側に一体成形されていて、窓枠口１の正面内部に臨むセット口３を有している。
【００４２】
枠体２における窓枠口１の下部には、下の球受け皿Ｆや打球発射装置Ｇの打球部Ｇ２等を設置するための設置盤５が成形されている。設置盤５の中央部には賞球用の給出口６が形成されている。
【００４３】
また、窓枠口１の右縁部には施錠装置７が設けられている。窓枠口１の右縁部と上縁部とがなす隅角部には、前枠Ｄの開閉状態を検出するための検出スイッチ８が設けられている。一方、図２に示す保持枠４において窓枠口１の下部内側の位置には、遊技補助盤９が一体成形されている。前記セット口３はこの遊技補助盤９の上端縁を基準にして開口形成されている。遊技補助盤９には、賞球用の給出口１０等が成形されるともに、スピーカ１１を内蔵した球受けケース１２及び発射レール１３等がセットされている。
【００４４】
なお、図２に示されるように、枠体２の前面（上縁部、右側縁部、及び左側縁部）には、リブ３０が延設されている。組み付け整合時にこれらのリブ３０は、前枠Ｄ及び上の球受け皿Ｅの裏側に対向形成された溝（図示しない）と噛合し、ラビリンス構造となる。同様に、中枠Ｂにおける設置盤５と遊技補助盤９との境界部には、溝３１が延設されている。組付け整合時には、この溝３１に対して上の球受け皿Ｅの下縁が噛合する。そして以上の結果、機台前面側からの異物（針金等）侵入による不正行為が防止されるようになっている。
【００４５】
中枠Ｂにおける窓枠口１は、前面側から出し入れ（着脱）される遊技盤Ｃのセット面域及び出し入れ口としての役割も有する。このため、窓枠口１は、その下部開口面域に合せて上の球受け皿Ｅをセットできるようになっている。そして図２に示すように、窓枠口１の開口前面側の３つの周縁（上縁及び左右の側縁）の前面全体が、前枠Ｄを整合して収容しうるセット面域１４とされている。一方、保持枠４のセット口３の内周４箇所の隅部には、遊技盤Ｃ用の係合部１５が成形されている。これらの係合部１５には、図示しない回動式の施錠具（特願平３−１５７８７５号参照）がセットされている。なお、外枠Ａに対する中枠Ｂの組付けにおいては、正面左側縁の上、下部にそれぞれ配設された従来公知の開閉着脱用支持手段と、右側縁に装着された前記施錠装置７とが利用される。その結果、中枠Ｂは左右方向の開閉及び上下方向の着脱が可能な状態で組付けられる。
【００４６】
前述した中枠Ｂに組付けられる前枠Ｄは、横開き形態であるほか、従来の金属製窓枠とは異なり合成樹脂製である。基本的に前枠Ｄは、扉枠用の枠本体２４とガラス支持用の支持枠２５とを主体として構成されている。枠本体２４は前記セット面域１４に整合する外形サイズの方形状であって、その中央部に窓口２３を有している。この窓口２３は、遊技盤Ｃの遊技領域に適した広さのほぼ円形状とされている。枠本体２４の表面には、装飾効果を図るために、所要の色彩や図柄等を印刷した樹脂フィルム状の装飾膜が貼着可能となっている。枠本体２４の上部には、遊技稼動状態を表示するための電飾表示部８６が配設されている。
【００４７】
支持枠２５は、この枠本体２４の内側（窓口２３の裏側）に着脱可能及び傾動開放可能な状態で組付けられている。支持枠２５には、方形状の透明板である１枚のガラス板２６と、後述する保護カバー体７１とが挿入可能である。前枠Ｄは中枠Ｂに開閉可能及び着脱可能な状態で組付けられる。
【００４８】
中枠Ｂに対する前枠Ｄの枠本体２４の組付け時には、正面左側縁の上下部に配設された開閉着脱用の支持手段３２，３３と、右側縁に装設された施錠部とが利用される。
【００４９】
即ち、図４，図６，図８等に示すように、上側の支持手段３２では、中枠Ｂの枠体２の左上端部に設けられた支持片３４の軸孔と、前枠Ｄの枠本体２４の左上隅部に設けられた上側の開閉連結支持具３５の支軸３６とが嵌挿して連結されている。また、下側の支持手段３３では、枠体２の左中段部に設けられた支持片３７から突出する支軸と、枠本体２４の左下隅部に設けられた下側の開閉連結支持具３８の軸孔３９とが嵌挿して連結されている。その結果、枠本体２４は枠体２に対して左右への回動及び着脱が可能に支持される。
【００５０】
また、図４等に示すように、施錠部では、枠本体２４の右縁裏側の上下に固定された施錠受け具４０の係合部が、施錠装置７における図示しない昇降施錠杆と係脱可能に係合する。そして、この係合により、前枠Ｄの枠本体２４を閉鎖状態で施錠するようになっている。
【００５１】
図４，図９に示すように、上側の開閉連結支持具３５には、金属板を材料として成形された支持具本体４１が、枠本体２４の裏側左上隅部にネジ止めされている。そして、支持具本体４１の上部には、支軸３６を嵌挿支持するための軸筒部４２が形成されている。支持具本体４１の下部には、支持枠２５における支持片５９の軸孔５９ａと対応する支軸（ピン）４３が、受け部として形成されている。
【００５２】
また、枠本体２４の裏側に組付けられる支持枠２５は、図４，図６に示されるように、上下及び左の枠杆４９，５０と右側の補強支杆５１とを用いて、これらを四角枠状に連結することにより、構成されている。なお、図５に示されるように、上下の枠杆４９、左の枠杆５０は、その内側に２列の挿入溝４８を有しており、レール枠状に成形されている。支持枠２５の補強支杆５１側（即ち２列の挿入溝４８の右端側）を開放すると挿入部が形成され、この挿入部を介してガラス板２６等が挿入可能となっている。また、各枠杆４９，５０及び補強支杆５１がなす開口面（ガラスの透視面）は、枠本体２４の窓口２３よりも適宜広めに形成されている。
【００５３】
そして、枠本体２４に対して支持枠２５を組付ける際には、左側の上下部に配設された開閉着脱用の支持手段５７と、右側上部に設置された開閉保持機構５８とが利用される。即ち、図９に示される支持手段５７では、左の枠杆５０の外面における長手方向のほぼ中間位置に、上下一対の支持片５９，６０が水平方向へ突設されている。各支持片５９，６０には、前記上下の支持具本体４１，４５の各支軸４３，４７に対応する軸孔５９ａ，６０ａが形成されている。各支持片５９，６０の軸孔５９ａ，６０ａには、各支軸４３，４７が嵌挿される。その結果、支持枠２５は、開閉連結支持具３５，３８を介して枠本体２４の裏側に支持される。このような支持状態において、支持枠２５は、前後へ横開き傾動可能かつ上下方向にずらして着脱可能となる。
【００５４】
前記開閉保持機構５８では、支持枠２５の傾動案内及び開放規制を許容する形態として、図４，図８に示すように、枠本体２４の右裏側上部と支持枠２５の右端部との間に傾動規制手段６１を配置している。
【００５５】
即ち、枠本体２４の裏側右上部には支持部材６２が固定され、その支持部材６２には金属材料からなる可動規制部材６３の基端部が水平回動自在に支持されている。可動規制部材６３の先端部には、上方に向かって立設する操作片６３ａが折曲形成されるとともに、規制案内部としての長溝６４が切欠形成されている。この長溝６４内には、支持枠２５における上枠扞４９の右端に突設されたピン６５が嵌挿されている。
【００５６】
そして、操作片６３ａを指先で摘んで可動規制部材６３を前後方向へ揺動させると、ピン６５が長溝６４に沿って摺動しつつ案内される。その結果、支持枠２５は閉鎖セット位置と、図７にて示す開放支持位置との間を移動するようになっている。なお、開放支持位置において支持枠２５は、挿入溝４８へのガラス板２６及び保護カバー体７１の挿脱が可能となる。一方、閉鎖セット位置において支持枠２５は、枠本体２４に対して平行かつ重ね合わされた状態となり、ガラス板２６及び保護カバー体７１の挿脱が不能となる。
【００５７】
この開閉保持機構５８は、支持枠２５を前記閉鎖セット位置に保持するための手段として、図８に示されるようなロック手段６６を備えている。ロック手段６６は、枠本体２４の右裏側と支持枠２５の右側との間の位置に設置されている。
【００５８】
即ち、支持部材６２の右端部には、合成樹脂等の弾性素材からなるフック６７が設けられている。このフック６７は、ピン６５と弾性的に係止することができる。同様に、枠本体２４の裏側右下部には、前記フック６７と同形状のフック６８が設けられている（図７，図８参照）。このフック６８に対応して、前記支持枠２５の補強支扞５１の下端部には、ピン６９が設けられている。よって、この支持枠２５を開放支持位置側から閉鎖セット位置側へ回動変位させた場合には、各ピン６５，６９と各フック６７，６８とが互いに係止する。その結果、支持枠２５が閉鎖セット位置に保持されるようになっている。
【００５９】
このように構成されたパチンコ機では、外枠Ａに対する中枠Ｂに、前述した前枠Ｄ、上下の球受け皿Ｅ，Ｆ、打球発射装置Ｇ、遊技盤Ｃ及び各種の付属部品等の遊技用構成部材がセットされて１台単位に構成される。そして、パチンコホール内の設置枠台に所定の傾き起立姿勢で配置された外枠Ａに、中枠Ｂ全体が組付けられることにより、在来のパチンコ機と同様の縦型弾球遊技機として遊技に供される。このもとで通常の打球発射操作を行うことにより、上の球受け皿Ｅ内の遊技球を１球ずつ発射レール１３に送り込み、打球発射装置Ｇから適宜に打出して遊技盤Ｃ内でパチンコゲームを展開することができる。
【００６０】
さて次に、本実施形態の特徴的構成である保護カバー体７１の構成等について詳細に説明する。
【００６１】
図１０，図１１に示すプラスチック製の保護カバー体７１は、遊技盤Ｃにおける遊技領域の前面側を透視可能な状態で覆うために配設される。ここで遊技盤Ｃ内のレイアウトについて若干述べておく。
【００６２】
図１にて例示された遊技盤Ｃにおける略円形状の遊技領域は、円弧状に湾曲形成されたレール７２によって部分的に囲まれている。この遊技盤Ｃは、始動入賞具７３、図柄表示部としての図柄可変表示装置７４、大型装飾部品７５、電飾案内車７６、普通案内車７７、大型電動式の入賞装置７８、電飾装置７９等をその前面側に備えている。なお、遊技盤Ｃの前面側には、遊技領域のほぼ全域にわたって図示しない釘が打ち付けられている。
【００６３】
始動入賞具７３は、遊技領域の中央部下方寄りの位置に配設されている。始動入賞具７３内に配設された図示しない始動スイッチは、始動入賞具７３内に入った各セーフ球の検出毎に図柄可変表示装置７４を１回ずつ作動スタートさせる。
【００６４】
大型装飾部品７５は、始動入賞具７３のすぐ上方の位置（即ち遊技領域の中央部上方寄りの位置）に配設されている。図柄可変表示装置７４は大型装飾部品７５に組み付けられている。例えばドラム式の図柄可変表示装置７４は、パチンコゲーム中に発生した始動信号入力条件により、各列の図柄表示ユニットの図柄ドラムが回転・停止され、これにより所定の図柄を停止表示しうるように構成されている。なお、図柄可変表示装置７４はドラム式以外のもの、例えば液晶ディスプレイを用いたもの等であってもよい。
【００６５】
風車とも称される電飾案内車７６及び普通案内車７７は、遊技球の流下方向を任意に変向する役割を果たすものであって、通常は大型装飾部品７５の両脇において左右対称に配設されている。
【００６６】
大型電動式の入賞装置７８は始動入賞具７３の直下に配設されている。入賞装置７８には、図柄可変表示装置７４の大当り成立時に対する特別遊技状態として、開成作動条件が付与される。入賞装置７８は特別入賞口８０及び扉状の開閉板８１を有している。前記開閉板８１は、図示しない電磁ソレノイドに係る設定駆動条件に基づいて通常の閉鎖状態から開放状態に変化するように構成されている。特別入賞口８０の後側内部には、セーフ球用のカウントスイッチ（図示略）と、開放作動継続用の特別スイッチ（図示略）とが組み込まれている。入賞装置７８の左右両側には普通入賞口８２が設けられている。なお、入賞装置７８の直下の位置（即ち遊技領域の中央部最下部付近）には、アウト球が入り込むアウト口８３が形成されている。
【００６７】
電飾装置（サイドランプ）７９は、遊技状態に応じて照射パターンが変更制御される電球（図示略）を内部に備えており、遊技領域の左右両側において縦長円弧状に一対配設されている。
【００６８】
遊技盤Ｃの備える上記各部品のうち、始動入賞具７３、図柄可変表示装置７４、電飾案内車７６、普通案内車７７、入賞装置７８等は、遊技球の進行方向に影響を与えたり、遊技者に遊技状態を示したりするものである。よって、前述の部品は、直接遊技に関係のある構造物であるということができる。これに対して電飾装置７９等は、遊技に直接関係のない構造物であるということができる。
【００６９】
図１０（ａ）に示すように、この保護カバー体７１は、前面視で略正方形の外形形状を有している。保護カバー体７１は、全体的に遊技者側（即ち前方側、非遊技盤側）に膨らんだ曲面形状の膨出部９０を備えている。膨出部９０の外形・大きさは、枠本体２４の窓口２３を介して露出された遊技盤Ｃの遊技領域の外形・大きさにほぼ等しくなるように設定されている。ここでは膨出部９０が保護カバー体７１における大部分の面積を占めている。なお、図１０（ａ）に示された膨出部９０は略円形状ではあるが完全な円形状ではなく、その下側部分が円弧状に切り欠かれた形状となっている。このような切欠部分を設けた理由は、膨出部９０の下側部分が上の球受け皿Ｅに覆い被さっていると遊技球を取り出す際に邪魔になるが、そこを切り欠いておけば取り出しの際に邪魔にならなくなるからである。
【００７０】
保護カバー体７１における膨出部９０の周囲の領域（即ち保護カバー体７１の外周部）は大きな凹凸が存在しないフラット部９１となっており、このためカバー外周縁は直線的になっている。従って、保護カバー体７１の取り付け時には、支持枠２５の枠杆４９，５０の挿入溝４８に対し、カバー外縁部を容易に挿入できるように構成されている。
【００７１】
図１０（ａ），図１０（ｂ），図１１（ａ）に示されるように、この保護カバー体７１の膨出部９０は単純な形状ではなく、さらに屈曲部９２，９３，９４を備えた複雑な形状となっている。即ち、前記膨出部９０は、遊技者側に凸である山状屈曲部９２，９４と、遊技者側に凹である谷状屈曲部９３とを備えている。ただし、屈曲部９２，９３のほうが屈曲部９４よりもいくぶん屈曲角度が大きくなっている。
【００７２】
山状屈曲部９４は、保護カバー体７１の中央部においてカバー縦方向に延びるように直線状に設けられている。なお、山状屈曲部９４が設けられているカバー中央部（特にカバー中心部）は、膨出部９０において最も膨出量が大きくなるように設定されている。ここで膨出量とは、上記フラット部９１の前側面を基準にしたときの高さをいう。
【００７３】
１本の山状屈曲部９２及び１本の谷状屈曲部９３は、互いに隣接した状態で配置されることにより１つの組をなすとともに、カバー縦方向に延びるように設けられている。このような山状屈曲部９２及び谷状屈曲部９３は、膨出部９０の左右の外形線に沿った形状、即ち左右方向に膨らむ略円弧状となるように緩やかなカーブを描いて形成されている。山状屈曲部９２及び谷状屈曲部９３は膨出部９０の上端から下端にわたって連続的に形成されており、両屈曲部９２，９３の間隔は膨出部９０の上端から下端に行くに従って徐々に大きくなっている。
【００７４】
山状屈曲部９２及び谷状屈曲部９３は、前面視で左右対称となるように保護カバー体７１の両側部にそれぞれ設けられている。別の言い方をすると、山状屈曲部９２及び谷状屈曲部９３は、保護カバー体７１を装着した際に左右両側の電飾装置７９の前方に位置する部位、またはそこよりも中央部寄りの部位に設けられている（図１２参照）。なお、山状屈曲部９２及び谷状屈曲部９３の長さはほぼ等しく、図柄可変表示装置７４の縦方向長さの少なくとも数倍以上の長さ分に相当するように設定されている。ここでは山状屈曲部９２の高さが山状屈曲部９４の半分程度に設定されている。
【００７５】
前記保護カバー体７１は透光性を有するプラスチック材料によって形成される。「透光性を有する」とは完全に透明なプラスチック材料のみを指すわけではなく、ある程度の透光性が確保されていれば若干着色されたプラスチック材料なども含むという趣旨である。保護カバー体７１の形成に好適なプラスチック材料としては、例えばアクリル樹脂、ポリ塩化ビニル樹脂、ポリカーボネート樹脂等が挙げられる。なお、透光性は膨出部９０についてのみ要求される性質であるため、フラット部９１については透光性がなくても特に問題はない。
【００７６】
この保護カバー体７１における遊技者側面９０ａ全体には、いわゆるノングレア処理が施されており、それにより反射防止処理層（ノングレア処理層）が形成されている。なお、ノングレア処理は必ずしも遊技者側面９０ａ全体に施されていなくてもよく、例えば膨出部９０についてのみ施されフラット部９１については施されていなくてもよい。さらに、ノングレア処理は必ずしも膨出部９０の全域に施されていなくてもよく、膨出部９０における特定領域のみに選択的に施されていてもよい。
【００７７】
ここで「ノングレア処理」とは、周囲の外光の映り込み（グレア）やぎらつきを少なくする処理のことをいう。本実施形態の場合、具体的には、遊技者側面９０ａに微小な凹凸を形成することをもってノングレア処理としている。「微小な凹凸」とは、可視光線を有効に散乱しうる大きさの凹凸をいい、通常はミリオーダー以下であればよく、特にはミクロンオーダー以下であってもよい。凹凸があまり大きくなりすぎると、可視光線を有効に散乱することができず、必要とする反射防止効果が得られなくなるからである。
【００７８】
この保護カバー体７１では、微小な凹凸は、膨出部９０の遊技者側面９０ａ表面を部分的に除去することにより膨出部９０自体に直接形成されている。その具体的手法として、ここではサンドブラストを行っている。サンドブラストは、圧縮空気により噴射した砥粒を加工対象の表面にぶつけることによってその表面を部分的に除去するまたは凹凸状に変形する加工方法であり、乾式の砥粒加工法の一種である。この場合、砥粒（研磨材）としては、例えば鉄粒、ガラス粒、金剛砂等が用いられる。サンドブラストの利点は応用範囲が広いことである。一般的なプラスチック材料であれば、この手法によって、反射防止に適した微小な凹凸を比較的容易にかつ比較的安価に形成することができる。なお本実施形態では、あらかじめ所定形状の樹脂成形品を作成した後にサンドブラスト装置を用いてブラスト処理を行うことにより、保護カバー体７１を製造している。
【００７９】
保護カバー体７１の光透過率は０％でなければ任意の値に設定することができ、例えば１０％〜１００％に設定されることがよく、好ましくは２０％〜１００％に設定されることがよい。光透過率が０％であると遊技盤面が不可視となってしまうからである。ただし、遊技盤Ｃの視認性の維持を考えると、光透過率は可能な限り１００％近くに設定されることが望ましい。
【００８０】
ノングレア処理としてサンドブラストを採用した本実施形態の場合、微小な凹凸の大きさを調節することにより、比較的容易に光透過率を上記好適範囲内の値に設定することができる。具体的には、例えば砥粒の粒径、硬度、比重、破砕性、噴射量、噴射密度、噴射速度などを適宜変更すればよい。
【００８１】
上記のように構成された保護カバー体７１の取り付け方について述べる。まず、操作片６３ａを操作して、支持枠２５を閉鎖セット位置から開放支持位置へ移動させる。この状態で、支持枠２５の枠杆４９，５０に設けられた２列の挿入溝４８のうち外側（即ち前面側、遊技者側）に位置するものに対し、保護カバー体７１のカバー外縁部をスライドさせつつ挿入する。なお、保護カバー体７１のスライド挿入作業を可能とするために、支持枠２５の開口量に比べて膨出部９０の最大膨出量を小さく設定しておく必要がある。支持枠２５の枠杆４９，５０に設けられた２列の挿入溝４８のうち内側（即ち背面側、遊技盤側）に位置するものに対しては、通常どおりガラス板２６がスライド挿入される。スライド挿入作業の後、再び支持枠２５を閉鎖セット位置に移動させ、各ピン６５，６９と各フック６７，６８とを係止する。以上の結果、保護カバー体７１の取り付けが完了する。このとき、膨出部９０が窓口２３にちょうど嵌り込むことにより、保護カバー体７１は自身の面方向に位置ずれ不能な状態となる。
【００８２】
従って、本実施形態によれば以下のような効果を得ることができる。
【００８３】
（１）この保護カバー体７１は、遊技者側に膨らんだ曲面形状の膨出部９０を備えるとともに、膨出部９０の遊技者側面９０ａにはノングレア処理が施されている。従って、略フラット状である従来の保護カバー体に比べて立体感を出すことができ、デザイン性に優れたパチンコ機を実現することができる。
【００８４】
また、膨出部９０を持たない従来の保護カバー体に比べて保護カバー体７１から遊技盤Ｃまでの距離が大きくなるため、実質的に遊技者から遊技盤Ｃを遠ざけることができる。従って、たとえ強力な磁石を膨出部９０の遊技者側面９０ａに近づけたとしても、その磁力の影響が遊技盤面にまで及ばず、遊技球に対する不正行為が成立しなくなる。
【００８５】
さらに、このような膨出部９０がある場合、仮に保護カバー体７１に外力が加わって万が一破損したとしても、膨出部９０とガラス板２６との間にはある程度距離があることから、ガラス板２６の破損については阻止しうるものとなる。よって、遊技者にとって安全なパチンコ機となる。同様に、外力の付加による遊技盤Ｃの破損も阻止される。
【００８６】
（２）一般に、パチンコ機が設置されるパチンコホールには通常色々な位置に数多くの照明装置が設けられており、しかもその照明環境はホールによって様々に異なっているのが現状である。そしてこのことが、膨出部９０を備える曲面的な保護カバー体７１に関して、周囲の外光の映り込みといった問題を顕著に引き起こす大きな原因となっている。
【００８７】
しかし本実施形態では、膨出部９０の遊技者側面９０ａにノングレア処理層を設けているため、様々な角度から進入してくる外光の反射が防止される。ゆえに、膨出部９０を備えているにもかかわらず、その遊技者側面９０ａに外光が映り込みにくくなり、単純に膨出部のみを持つ従来品に比べて遊技盤面が格段に見やすくなる。その結果、遊技者が遊技自体に集中しにくくなったり、目が疲れて長時間の遊技が困難になったりする、という不都合が解消される。
【００８８】
（３）この保護カバー体７１はプラスチック製である。プラスチックは元来加工性に優れた材料であることから、本実施形態のように複雑な形状の保護カバー体７１であったとしても、従来公知の成形法により比較的簡単にかつ低コストで製造することが可能である。さらに、プラスチック製の保護カバー体７１はガラス製のものに比べて軽量であるため、これを用いることはパチンコ機の軽量化にも寄与する。なお、パチンコ機の軽量化は搬送コストの低減等にもつながる。また、プラスチックはガラスとは異なり非常に破壊しにくいため、遊技者にとって安全であるという利点がある。
【００８９】
（４）この保護カバー体７１では、膨出部９０にさらに屈曲部９２，９３，９４が形成されている。特にここでは、遊技者側に凸である山状屈曲部９２と、遊技者側に凹である谷状屈曲部９３とが、互いに隣接した状態で左右両側に延設されていることを特徴とする。
【００９０】
従って、この種の屈曲部９２，９３，９４を何ら備えない単純な曲面形状の保護カバー体に比べて、形状が複雑になる。それゆえ、本実施形態では立体感が増し、いっそうデザイン性が向上する。よって、今までにない優れた美観を保護カバー体７１に付与することが可能となる。さらに、膨出部９０や屈曲部９２，９３，９４の存在によって、釘が本来の状態とは異なった見え方をするので、ある意味で遊技者にとって攻略し甲斐のあるパチンコ機を提供することができる。
【００９１】
また、この構成によると、遊技に直接関係のある図柄可変表示装置７４等が比較的本来の姿に近い見え方をする一方で、遊技に直接関係のないコーナー飾り等が本来の姿とは相当異なった見え方をし、大抵はそこが見にくくなる。従って、遊技に直接関係のない部分が目に付きにくくなる反面、遊技に直接関係のある部分が目に付きやすくなって、遊技者は遊技にいっそう集中することができるようになる。
【００９２】
（５）もっとも本実施形態では、山状屈曲部９２及び谷状屈曲部９３は、膨出部９０において左右両側の電飾装置７９の前方部位よりも若干中央部寄りの部位に設けられている。このため、山状屈曲部９２及び谷状屈曲部９３を通過する際に電飾装置７９の発した光の進行方向が変化し、電飾装置７９が本来の発光態様とは相当異なった見え方をするようになる。このため、単純な発光態様の電飾装置７９を用いた場合であったとしても華やかにかつ綺麗に見えうる、というさらなる装飾的効果を得ることが可能である。つまり、動的デザイン性が向上する結果、パチンコ機の美観向上が達成される。また、単純で安価な電飾装置７９を使用した場合でも最大限の装飾的効果が得られることから、パチンコ機自体の低コスト化を達成することも可能となる。
【００９３】
（６）本実施形態における反射防止処理は、膨出部９０の遊技者側面９０ａに微小な凹凸を形成することであり、具体的にはサンドブラスト処理を行っている。従って、このようにすると、微小な凹凸によって外光が散乱されることにより外光の反射が防止される結果、遊技者側面９０ａに外光が映り込みにくくなる。また、微小な凹凸が遊技者側面９０ａに形成されていると、その面の摩擦係数が増大する。よって、遊技者が遊技球を誘導すべく遊技者側面９０ａに磁石を接触させて滑らそうとしても、磁石の滑りが悪くて不正行為を行いにくくなる、というさらなる作用効果を奏する。
【００９４】
また、サンドブラスト処理によれば、膨出部９０表面を部分的に除去するまたは凹凸状に変形することにより、微小な凹凸を膨出部９０自体に直接形成することができる。従って、微小な凹凸を有する他部材の貼り付け等の作業を特に伴わないため、膨出部９０から他部材が不用意に脱落する等の心配がない。よって、好適な状態の微小な凹凸が長期にわたって維持される結果、反射防止効果を半永久的に得ることができる。また、保護カバー体７１を構成する部品の点数も増えないので、保護カバー体７１自身の構成の複雑化も回避される。
【００９５】
さらに、サンドブラスト処理によれば、外光の映り込みを有効に防止しうる微小な凹凸を、プラスチック材料表面に対して比較的容易にかつ比較的安価に形成することができる。よって、製造しやすくて安価な保護カバー体７１を提供することができる。しかも、サンドブラスト処理は乾式の砥粒噴射加工であるので、湿式にて行われる場合とは異なり液体を必要としない。よって、簡単な工程で済み、環境面でも有利なものとなる。
［第２の実施の形態］
【００９６】
第２実施形態では、第１実施形態とは異なるノングレア処理を施している。ここでは、膨出部９０の表面に対して微小な粉末をコーティング処理することによって、第１実施形態と同程度の大きさの微小な凹凸を形成している。
【００９７】
微小な粉末としては、無機物の粉末や有機物の粉末を使用することができる。ただし、光透過性を有する材料を選択することが望ましい。無機物の粉末としては、例えばシリカ、アルミナ、ジルコニア、チタニア、マグネシア等のセラミックからなる粉末や、ガラス粉末等が挙げられる。有機物の粉末としては、例えばアクリル樹脂等の合成樹脂からなる粉末が挙げられる。本実施形態では、ミクロンオーダーのシリカ粉末を従来公知の手法にてコーティングすることにより、微小な凹凸の形成を行っている。
【００９８】
従って、本実施形態によれば、コーティング処理を経て膨出部９０の遊技者側面９０ａ表面に微小な粉末が付着することにより、微小な凹凸が形成される。このため、外光が膨出部９０を通過する際に微小な凹凸によって散乱され、これにより反射防止が達成される結果、遊技者側面９０ａに外光が映り込みにくくなる。ゆえに、単純に膨出部９０のみを持つ従来品に比べて遊技盤面が格段に見やすくなる。
【００９９】
また、微小な凹凸が遊技者側面９０ａに形成されていると、その面の摩擦係数が増大する。よって、遊技者が遊技球を誘導すべく遊技者側面９０ａに磁石を接触させて滑らそうとしても、磁石の滑りが悪くて不正行為を行いにくくなる、というさらなる作用効果を奏する。
【０１００】
さらに、コーティング処理のような加工法によれば、使用する微小な粉末の大きさ等の調節を行うことにより、光透過率を所望の値に容易に設定することができる。
［第３の実施の形態］
【０１０１】
第３実施形態では、第１、第２実施形態とは異なるノングレア処理を施している。即ちここでは、光の干渉を利用して外光を打ち消す干渉層を設けるべく、膨出部９０の遊技者側面９０ａに対するコーティング処理（いわゆるＡＲコーティング）を行っている。ＡＲコーティングとは、フッ化マグネシウムなどを真空蒸着させて透明な薄膜（干渉層）を形成することであり、通常干渉層の膜厚は可視光線の１／４の値に設定される。このため、外光が干渉層に入射すると、干渉層の表面で反射する光と、干渉層を通過して膨出部９０の遊技者側面９０ａで反射する光とに分かれる。この場合、両者は１／２波長ずれた逆位相となるため、互いに打ち消しあって反射光が目立たなくなるのである。なお、干渉層の形成材料として、フッ化マグネシウム以外の物質を選択することもできる。また、干渉層の形成方法として、真空蒸着以外の薄膜形成法（例えばＣＶＤ、スパッタリング、めっき等）を採用することもできる。
【０１０２】
従って本実施形態によると、干渉層による干渉作用が得られる結果、膨出部９０の遊技者側面９０ａに外光が映り込みにくくなり、単純に膨出部９０のみを持つ従来品に比べて遊技盤面が格段に見やすくなる。
【０１０３】
また、本実施形態のものは、微小な凹凸の形成により光を散乱させて反射防止を図るものではないため、光透過性の低下を殆ど伴うことがない。よって、反射防止処理が施されていない状態と同程度の優れた遊技盤視認性を維持することができ、前記２つの実施形態に比べていっそう遊技盤面が見やすくなる。
［第４の実施の形態］
【０１０４】
第４実施形態では、ノングレア処理として、微小な凹凸を有するフィルムを膨出部９０の遊技者側面９０ａに貼り付けることを行っている。
【０１０５】
この実施形態において使用されるフィルムは、合成樹脂製の基材の片側面上に反射防止層を形成してなるものである。基材の形成に用いられる材料としては、例えばポリウレタン（ＰＵ）樹脂、ポリエチレンテレフタレート（ＰＥＴ）樹脂、ポリエチレン（ＰＥ）樹脂、ポリカーボネート（ＰＣ）樹脂等がある。この場合、光透過性が高い透明なフィルム材料を選択することが好ましい。反射防止層は微小な凹凸を有しており、例えばアルミナ、チタニア等を用いて形成される。
【０１０６】
上記の反射防止層付きフィルムは、膨出部９０の遊技者側面９０ａに対して剥離可能な状態で貼り付けられる。屈曲部９２，９３，９４を備える膨出部９０への貼り付けを考慮すると、フィルムは薄くてある程度伸縮性を有していることが好ましい。その理由は、大きな凹凸のある複雑な面に対する貼り付け作業を行う場合、フィルムに伸縮性があると皺が寄りにくくなり、保護カバー体７１への追従性及び全体としての美観が向上するからである。また、本実施形態においてこのフィルムは、剥離することが可能な状態となるべく比較的弱い接着力をもって貼り付けられている。
【０１０７】
従って、本実施形態によると、微小な凹凸を有する上記フィルムを貼り付けるだけで容易に保護カバー体７１に反射防止効果を付与することができる。また、この構成であれば、パチンコホールの環境（例えば遊技場の照明の光度、設置態様など）に合わせて、それに適した性質のフィルムを選択することができる。
【０１０８】
また、本実施形態の構成の場合、反射防止対策が不要であればフィルムを剥離した状態で保護カバー体７１を用いることができる。また、貼り付けられたフィルムがヤニ等により曇り、保護カバー体７１の光透過性が低下したような場合であっても、古くなったフィルムのみを剥離して新しいものに交換することが可能である。従って、保護カバー体７１全体を取り換えなければならない構造に比べて、維持コストがかからないという利点がある。
【０１０９】
さらに、このようなフィルムが貼り付けられていると、例えば保護カバー体７１単独の構成を採用した場合に比べて強度が増し、さらに割れにくくなる。よって、遊技者に対する安全性がよりいっそう向上する。
【０１１０】
なお、本発明の実施形態は以下のように変更してもよい。
【０１１１】
・パチンコ機以外の遊技機における遊技盤Ｃ、例えばアレンジボール機（パチンコ球使用式の図柄組合せ遊技機）やスロット機等における遊技盤を透視可能な状態で覆う手段として、本発明の保護カバー体を適用することもできる。
【０１１２】
・図１３に示される別例の保護カバー体１０１のように、中央部において縦方向に延びる山状屈曲部９４を省略し、左右両側の屈曲部９２，９３のみを２組設けるようにしてもよい。
【０１１３】
・図１４に示される別例の保護カバー体１０２のように、膨出部９０において遊技盤Ｃの図柄可変表示装置７４に対応した箇所を、略フラット状に形成してもよい。略中央部にフラット部１０３を有するこの構成によると、図柄可変表示装置７４については何ら変わりなく本来の姿で見えるので、遊技者は図柄の変化等を正確に把握することができる。
【０１１４】
・上記第１実施形態において、膨出部９０における遊技盤Ｃの図柄可変表示装置７４に対応した箇所については、サンドブラスト処理等の反射防止処理を施さないようにしてもよい。この構成によると、サンドブラスト処理による光透過率の低下を未然に回避することができるので、遊技者は図柄の変化等を正確に把握することができる。
【０１１５】
・上記各実施形態では、前枠Ｄの窓口２３に対応した部分（遊技領域に対応した部分）のみを覆うように膨出部９０が形成されていたが、例えば前枠Ｄの全体を覆うような膨出部を備えた保護カバー体として具体化してもよい。このように構成した場合、遊技機全体が前面側に膨出した形状となる結果、一体性が増したデザインとなり、今までにない外観を醸し出すことができる。ただし、この構成を採用する場合には、操作部（上の球受け皿Ｅ、下の球受け皿Ｆ、打球発射装置Ｇ等）について必要最低限の操作性を確保しておく必要がある。
【０１１６】
・本発明の保護カバー体７１は、必ずしも支持枠２５に対して前枠Ｄの背面側から取り付けられるばかりでなく、例えばフック等を用いて前枠Ｄに対して前面側からワンタッチで取り付けられてもよい。このような取り付け態様であれば、フラット部９１の有無に左右されずに保護カバー体の取り付けを行うことができるようになり、形状の自由度が大きくなる。また、前枠Ｄ自体の開閉を伴わずに保護カバー体の着脱を行うことが可能となり、作業性の向上にもつながる。
【０１１７】
・上記各実施形態において遊技盤Ｃを透視可能状態で覆うものは、２枚の透視板（即ち１枚のガラス板２６と、１枚の保護カバー体７１）であった。しかし、このような２枚構造に代えて３枚構造、例えば１枚のガラス板２６と２枚の保護カバー体７１とからなる保護構造を採用してもよい。この場合、遊技者を遊技盤Ｃよりさらに遠ざけることができるので、磁石等を利用した不正行為をいっそう確実に防止することができる。なお、２枚構造、３枚構造を問わず最も内側にはフラットなガラス板２６が配設されていることから、膨出形状の保護カバー体７１にじかに遊技球が接触することが防止される。従って、遊技球は従来どおり釘を伝わりながらスムーズに落下することができる。
【０１１８】
・第１実施形態にて例示したサンドブラスト処理の代わりに、例えばショットブラストやラッピングなどの他の砥粒加工を行うことをもって、ノングレア処理としてもよい。
【０１１９】
・ノングレア処理は膨出部９０の遊技者側面９０ａにのみ施されるばかりでなく、非遊技者側面（即ち遊技盤側面）にも施されてもよい。
【０１２０】
次に、特許請求の範囲に記載された技術的思想のほかに、前述した実施形態によって把握される技術的思想を以下に列挙する。
【０１２１】
（１）請求項３または４において、前記山状屈曲部及び前記谷状屈曲部は、前記遊技盤の遊技領域において図柄表示部がある箇所以外の箇所に対応して設けられていること。
【０１２２】
（２）請求項３または４において、前記遊技盤の略中央部に図柄表示部がある場合において、前記山状屈曲部及び前記谷状屈曲部は、その図柄表示部の側方に設けられるとともに、その長さが少なくとも図柄表示部の上端位置から下端位置までの長さ分に相当するように設定されていること。
【０１２３】
（３）請求項３または４において、前記山状屈曲部及び前記谷状屈曲部は、前記遊技盤の左右両側部に対応して設けられていること。
【０１２４】
（４）請求項３または４において、前記山状屈曲部及び前記谷状屈曲部は、前記保護カバー体を装着した際に、前記膨出部において左右両側の電飾装置の前方に位置する部位またはそこよりも中央部寄りの部位に設けられていること。
【０１２５】
（５）請求項３または４において、前記山状屈曲部及び前記谷状屈曲部は、前面視にて左右略対称な形状となるように形成されていること。
【０１２６】
（６）請求項３または４において、前記膨出部の前面視での形状は略円形状であり、前記山状屈曲部及び前記谷状屈曲部は、前記膨出部の外形線に沿った円弧状となるように形成されていること。
【０１２７】
（７）請求項１乃至３のいずれか１項において、前記反射防止処理層は、前記膨出部の遊技者側面に形成された微小な凹凸であること。
【０１２８】
（８）技術的思想７において、前記微小な凹凸は、前記膨出部表面を部分的に除去する、または前記膨出部表面を凹凸状に変形させることにより、膨出部自体に直接形成されること。
【０１２９】
（９）技術的思想７において、前記微小な凹凸は、前記膨出部表面に対する砥粒噴射加工によって形成されること。
【０１３０】
（１０）技術的思想７において、前記微小な凹凸は、前記膨出部表面に対する乾式の砥粒噴射加工によって形成されること。
【０１３１】
（１１）技術的思想７において、前記微小な凹凸は、前記膨出部表面に対して微小な粉末をコーティング処理することによって形成されること。
【０１３２】
（１２）請求項１乃至３のいずれか1項において、前記反射防止処理層は、光の干渉を利用して外光を打ち消す干渉層であること。
【０１３３】
（１３）請求項１乃至３のいずれか1項において、前記反射防止処理層は、前記膨出部の少なくとも遊技者側面に貼り付けられた、微小な凹凸を有するフィルムであること。
【０１３４】
（１４）技術的思想１３において、前記フィルムは剥離可能な状態で貼り付けられていること。
【０１３５】
（１５）請求項１乃至４のいずれか１項において、前記膨出部において前記遊技盤の図柄表示部に対応した箇所は、略フラット状に形成されていること。
【０１３６】
（１６）技術的思想１５において、前記膨出部において前記遊技盤の図柄表示部に対応した箇所には、前記反射防止処理層を有しないこと。
【０１３７】
（１７）前枠の有するガラス枠に支持されたガラス板の外側に、請求項１乃至４のいずれか１項に記載の保護カバー体を少なくとも１枚設けた遊技機。
【符号の説明】
【０１３８】
７１，１０１，１０２…保護カバー体
９０…膨出部
９０ａ…遊技者側面
９２，９４…山状屈曲部
９３…谷状屈曲部
Ｃ…遊技盤
【図１】
0005011346.tif 000002
【図２】
0005011346.tif 000003
【図３】
0005011346.tif 000004
【図４】
0005011346.tif 000005
【図５】
0005011346.tif 000006
【図６】
0005011346.tif 000007
【図７】
0005011346.tif 000008
【図８】
0005011346.tif 000009
【図９】
0005011346.tif 000010
【図１０】
0005011346.tif 000011
【図１１】
0005011346.tif 000012
【図１２】
0005011346.tif 000013
【図１３】
0005011346.tif 000014
【図１４】
0005011346.tif 000015